(57)【要約】【課題】ガラス等の透光性部材を備えたショーウインドー等の戸に用いられる施錠装置において、施錠装置を設けてもガラス越しの物品を確認し易くすることを目的とする。【解決手段】透光性部材１０３を備えた戸１０２を施錠する施錠装置において、前記戸１０２を施錠する施錠部１０５と、前記施錠部１０５を施錠又は解錠させる指示を入力する入力部１０６とを備え、前記入力部１０６は、前記透光性部材１０３の表面に設けられ、透光性を有することを特徴とする施錠装置とする。【選択図】  図１
2004308117.tif 000002
【特許請求の範囲】
【請求項１】
透光性部材を備えた戸を施錠する施錠装置において、
前記戸を施錠する施錠部と、
前記施錠部を施錠又は解錠させる指示を入力する入力部とを備え、
前記入力部は、前記透光性部材の表面に設けられ、透光性を有することを特徴とする施錠装置。
【請求項２】
請求項１に記載の施錠装置において、
前記入力部からの入力を受けると共に前記施錠部を制御する制御部を、前記透光性部材に形成することを特徴とする施錠装置。
【請求項３】
請求項１又は２に記載の施錠装置において、
前記入力部は、複数のスイッチからなることを特徴とする施錠装置。
【請求項４】
請求項１から３のいずれか１項に記載の施錠装置において、
前記入力部は、タッチパネルからなることを特徴とする施錠装置。
【請求項５】
請求項４に記載の施錠装置において、
前記制御部は、前記入力部に入力された文字，図形又はそれらの組合せにより前記施錠部を施錠又は解錠させることを特徴とする施錠装置。
【請求項６】
請求項１から５のいずれか１項に記載の施錠装置において、
前記入力部は、前記透光性部材の表面から着脱可能なことを特徴とする施錠装置。
【請求項７】
請求項１から６のいずれか１項に記載の施錠装置を備えて、内部に物品を収納する収納ケース。
【発明の詳細な説明】
【０００１】
【発明の属する技術分野】
本発明は、ガラス等の透光性部材を備えたショーウインドー等の戸に用いられる施錠装置に関するものである。
【０００２】
【従来の技術】
商店や百貨店等で品物を陳列するショーウインドー等は、通常、陳列している物品を透して見るガラス等の透光性部材を備える引き違い式等の戸が設けられている。そして、この戸には、陳列している物品の盗難防止のための施錠装置が設けられている。従来、この施錠装置は、鍵を用いて施錠，解錠するようなシリンダー錠等からなり、ガラス等の透光性部材の表面の一部を覆うようにして設けられている（例えば、特許文献１参照。）。
【０００３】
【特許文献】
登録実用新案３０１７４７４号公報（第１図）
【０００４】
【発明が解決しようとする課題】
しかしながら、上記従来技術では、ガラス等の透光性部材の表面の一部を覆うようにしてシリンダー錠を設けるため、このシリンダー錠部分によって一部の視界が遮られることになり、シリンダー錠部分が邪魔をして、陳列している物品の一部が確認しづらくなる。
【０００５】
本発明は、上記のような課題を解決するためになされたものであって、ガラス等の透光性部材を備えたショーウインドー等の戸に用いられる施錠装置において、施錠装置を設けてもガラス越しの物品を確認し易くすることを目的とする。
【０００６】
【課題を解決するための手段】
上記課題を解決するため、本発明は、透光性部材を備えた戸を施錠する施錠装置において、前記戸を施錠する施錠部と、前記施錠部を施錠又は解錠させる指示を入力する入力部とを備え、前記入力部は、前記透光性部材の表面に設けられ、透光性を有することを特徴とするものである。
【０００７】
本発明によれば、ガラス等の透光性部材の表面に設けられた入力部は透光性を有しているので、入力部に視界を遮られることなく、例えば、ガラス越しの物品を容易に確認することができる。
【０００８】
また、本発明は、前記施錠装置において、前記入力部からの入力を受けると共に前記施錠部を制御する制御部を、前記透光性部材に形成することを特徴とするものである。
【０００９】
本発明によれば、入力部からの入力を受けてその入力に基づいて施錠部を制御する回路からなる制御部を、ガラス等の透光性部材に多結晶シリコン又は連続粒界結晶シリコン（以下「ＣＧシリコン」と記載する）等によって形成することにより、別途回路基板等を用いて制御部を設ける必要がないので、施錠装置を小型化にすることができる。
【００１０】
また、本発明は、前記施錠装置において、前記入力部が複数のスイッチからなることを特徴とするものである。
【００１１】
本発明によれば、例えば、番号入力を行うための「０」から「９」までの複数のスイッチからなるテンキーによって、暗証番号で施錠を管理することができるので、別途施錠，解錠のための鍵を持ち歩くことなく、戸の施錠，解錠を容易に行うことができる。
【００１２】
また、本発明は、前記施錠装置において、前記入力部がタッチパネルからなることを特徴とするものである。
【００１３】
また、本発明は、前記施錠装置において、前記制御部が前記入力部に入力された文字，図形又はそれらの組合せにより前記施錠部を施錠又は解錠させることを特徴とするものである。
【００１４】
本発明によれば、文字や図形等をタッチパネルに指やペン等で入力することにより、入力された文字や図形等と予め定めた文字や図形等とをパターンマッチング等によって照合して、その照合結果に基づいて施錠の管理ができるので、別途施錠，解錠のための鍵を持ち歩くことなく、戸の施錠，解錠を容易に行うことができる。
【００１５】
また、本発明は、前記施錠装置において、前記入力部が前記透光性部材の表面から着脱可能なことを特徴とするものである。
【００１６】
本発明によれば、入力部を透光性部材の表面から取外し、施錠，解錠の指示を入力する有線又は無線のリモコンとして用いることで、入力部に視界を全く遮られることなく、例えば、透光性部材越しの物品を良好に確認することができる。
【００１７】
また、本発明は、前記施錠装置を備えて、内部に物品を収納する収納ケースである。
【００１８】
本発明によれば、例えば、品物を陳列するショーケースや書籍を収納するガラス戸付の書架等として用いることができる。
【００１９】
【発明の実施の形態】
以下、本発明の実施の形態について、図面を参照して説明する。なお、以下の説明では、本発明を、品物を陳列するショーケースの引き違い戸に適用した実施の形態について説明する。本発明にかかる戸は、引き違い戸以外のものでも適応可能である。すなわち、ガラス等の透光性部材を備えたものであれば、例えば、引き違い式以外で横方向又は縦方向にスライドするスライド式の戸や、蝶番等によって回転する開き戸式の戸等でも適用可能であり、また、ガラス等の透光性部材を保持する框等の外枠が有っても無くても適用可能である。従って、このような戸を備えたものとして、例えば、商店や百貨店の店頭に設けられているショーウインドーはもとより、書架，食器棚又は自動車等でも、本発明の施錠装置が適用可能である。
【００２０】
［実施の形態１］
本発明による実施の形態１について、図１，２を用いて説明する。
【００２１】
図１は、施錠装置の要部構成を示す正面図である。
【００２２】
図１において、１０１は物品１０４を陳列したショーケース、１０２は物品１０４を透して見るガラス（透光性部材）１０３とガラス１０３を保持する外枠とからなる引き違い戸、１０５は引き違い戸１０２の外枠に配置され引き違い戸１０２を施錠する施錠部、１０６は施錠部１０５を施錠又は解錠させる指示を入力する入力部、１０７はガラス１０３の表面に設けられ入力部１０６にて入力された入力結果等を表示する反射型ＬＣＤ（Ｌｉｑｕｉｄ  Ｃｒｙｓｔａｌ  Ｄｉｓｐｌａｙ：液晶ディスプレイ）等の透光性を有する表示部、１０８は引き違い戸１０２の外枠に配置され引き違い戸１０２の開閉状況を磁気センサー等で検知する戸の開閉センサーである。
【００２３】
図１において、図中破線で囲まれた入力部１０６は、「０」から「９」までの１０個のスイッチ及び入力内容を消去する「Ｃｌｅａｒ」スイッチからなるテンキーの形状をした入力インターフェイスである。それら各々のスイッチは、例えば透光性を有する透明なシート状の感圧式や静電式等のセンサーからなり、ガラス１０３の表面に設けられている。なお、各スイッチに表示される「０」から「９」の数字及び「Ｃｌｅａｒ」の文字は、シルク印刷等で予めスイッチの表面に印刷されたものである。また、図１中では、これら印刷された数字や文字は透光性を有しない不透明な印刷であるが、これら数字や文字が視認できる程度の透光性を有する印刷であっても良い。
【００２４】
また、入力部１０６及び表示部１０７は、図示しない透明電極等によって電気的な配線がなされており、詳細を後述するマイクロコンピュータ（制御部）と接続されている。
【００２５】
ここで、本実施の形態の施錠装置における施錠及び解錠のやり方について説明する。
【００２６】
まず、施錠部１０５の解錠のための暗証番号として、予め決められた桁数の数字を入力部１０６のテンキーから入力する。このことにより、詳細を後述するマイクロコンピュータに接続されたメモリに、入力した暗証番号が記憶される。
【００２７】
そして、戸の開閉センサー１０８の検知結果が「閉じた状態」であれば、施錠部１０５は図示しない電磁コイル等により引き違い戸１０２を係止させる係止部分を動作させ、引き違い戸１０２が開かないように施錠する。なお、引き違い戸１０２が開いている状態で暗証番号が入力された場合でも、引き違い戸１０２を閉じて戸の開閉センサー１０８の検知結果が「閉じた状態」になれば、引き違い戸１０２は開かないように施錠される。
【００２８】
また逆に、施錠部１０５を解錠するには、前記メモリに予め記憶させた暗証番号を、入力部１０６のテンキーから入力する。このことにより、施錠部１０５は前記係止部分を係止しない状態へと動作させ、引き違い戸１０２が自由に開閉できるように解錠する。
【００２９】
なお、表示部１０７には、入力部１０６から暗証番号の数字を入力する際に、入力されたことを確認するのに数字又は暗証番号保護のため「＊」等の記号が表示される。
【００３０】
また、図１において、図示しない前記マイクロコンピュータ及びメモリは、入力部１０６及び表示部１０７と重ならないガラス１０３の表面の位置に、多結晶シリコン又はＣＧシリコン等によって形成されている。また、前記マイクロコンピュータ，メモリ及び表示部１０７の回路を動作させる図示しない電源は、引き違い戸１０２の外枠内に配置されており、図示しない透明電極等で各回路に接続されている。
【００３１】
次に、図２を用いて本実施の形態の施錠装置の施錠及び解錠の動作について更に説明する。
【００３２】
図２は、本実施の形態の施錠装置の概略構成を示すブロック図である。なお、図中、上記図１にて説明したものと同様のものには同じ符号を付与する。
【００３３】
図２において、２０１はマイクロコンピュータ（制御部）、２０２はメモリである。
【００３４】
マイクロコンピュータ２０１は、前述の通り、入力部１０６から入力された暗証番号を受けて、その暗証番号をメモリ２０２に記憶させる。
【００３５】
そして、マイクロコンピュータ２０１は、戸の開閉センサー１０８の検知結果を入力し、「閉じた状態」であれば、施錠部１０５の図示しない電磁コイル等により引き違い戸１０２（図１）を係止させる係止部分を動作するように制御して、引き違い戸１０２を施錠させる。
【００３６】
その後、マイクロコンピュータ２０１は、入力部１０６から入力された際に、入力された番号とメモリ２０２に記憶された暗証番号とを照合して、同じ番号と判断した場合には、施錠部１０５の前記係止部分を係止しない状態へと動作するように制御して、引き違い戸１０２を解錠させる。また、マイクロコンピュータ２０１は、照合した結果、暗証番号と異なると判断した場合には、施錠部１０５を解錠するような制御は行わない。
【００３７】
なお、マイクロコンピュータ２０１は、入力部１０６から暗証番号の数字入力があった際に、入力されたことを確認するのに数字又は暗証番号保護のため「＊」等の記号を表示部１０７に表示させる。
【００３８】
以上のように本実施の形態では、ガラス１０３の表面に設けられた入力部１０６が透光性を有する透明なシート状の入力インターフェイスなので、入力部１０６に視界を遮られることなく、ガラス１０３越しの物品１０４を容易に確認することができる。
【００３９】
また、入力部１０６がテンキーであることによって、暗証番号で施錠を管理することができるので、別途施錠，解錠のための鍵を持ち歩くことなく、引き違い戸１０２の施錠，解錠を容易に行うことができる。
【００４０】
また、マイクロコンピュータ２０１やメモリ２０２の回路を、ガラス１０３の表面に多結晶シリコン又はＣＧシリコン等によって形成することにより、別途回路基板等を用いて各回路を設ける必要がない。なお、表示部１０７の回路も、ガラス１０３の表面に多結晶シリコン又はＣＧシリコン等によって形成しても良い。
【００４１】
［実施の形態２］
実施の形態２として、上記実施の形態１の入力部を文字や図形等を入力するタッチパネルにした施錠装置について、図３，４を用いて説明する。
【００４２】
なお、図３，４において、上記実施の形態１を示す図１，２と共通部分については同符号を付与する。また、上記実施の形態１と異なる点について説明し、同様なものについては説明を省略する。
【００４３】
図３は、施錠装置の要部構成を示す正面図である。
【００４４】
図３において、３０１は施錠部１０５を施錠又は解錠させる指示を入力する入力部であり、その表面に指やペン等で文字や図形等を入力する入力インターフェイスである。そして、入力部３０１は、例えば透光性を有する透明なシート状の感圧式や静電式等のセンサーからなるタッチパネルであり、ガラス１０３の表面に設けられている。３０２は入力部３０１のタッチパネルに入力した文字や図形等の入力を確定するスイッチ、３０３は入力部３０１のタッチパネルに入力した文字や図形等を消去するスイッチであり、それら各々のスイッチは、例えば透光性を有する透明なシート状の感圧式や静電式等のセンサーからなり、ガラス１０３の表面に設けられている。なお、各スイッチに表示される「ＯＫ」及び「Ｃｌｅａｒ」の文字は、シルク印刷等で予めスイッチの表面に印刷されたものである。また、図３中では、これら印刷された文字は透光性を有しない不透明な印刷であるが、これら文字が視認できる程度の透光性を有する印刷であっても良い。
【００４５】
また、入力部３０１のタッチパネル及び各スイッチ３０２，３０３は、図示しない透明電極等によって電気的な配線がなされており、詳細を後述するマイクロコンピュータ（制御部）と接続されている。
【００４６】
ここで、本実施の形態の施錠装置における施錠及び解錠のやり方について説明する。
【００４７】
まず、施錠部１０５の解錠のための暗証サインとして、任意の文字や図形、又はそれらを組合せたものを、入力部３０１のタッチパネルに指やペン等で入力し、入力確定スイッチ３０２を押して確定する。このことにより、詳細を後述するマイクロコンピュータに接続されたメモリに、入力した暗証サインが記憶される。なお、図３では暗証サインとして「ひらけゴマ」という手書き文字を入力している。また、図３中の入力部３０１のタッチパネル上には、説明に都合が良いように「ひらけゴマ」という手書き文字を表示しているが、単なるタッチパネルだけでは表示できないため、例えば、入力部３０１のタッチパネルとガラス１０３との間に反射型ＬＣＤ等の透光性を有する表示部を設けて、入力した文字や図形をトレースして表示させても良い。
【００４８】
そして、戸の開閉センサー１０８の検知結果が「閉じた状態」であれば、施錠部１０５は図示しない電磁コイル等により引き違い戸１０２を係止させる係止部分を動作させ、引き違い戸１０２が開かないように施錠する。なお、引き違い戸１０２が開いている状態で暗証サインが入力された場合でも、引き違い戸１０２を閉じて戸の開閉センサー１０８の検知結果が「閉じた状態」になれば、引き違い戸１０２は開かないように施錠される。
【００４９】
また逆に、施錠部１０５を解錠するには、前記メモリに記憶された暗証サインを、入力部３０１のタッチパネルから入力する。このことにより、施錠部１０５は前記係止部分を係止しない状態へと動作させ、引き違い戸１０２が自由に開閉できるように解錠する。
【００５０】
なお、図３において、図示しない前記マイクロコンピュータ及びメモリは、入力部３０１及び各スイッチ３０２，３０３と重ならないガラス１０３の表面の位置に、多結晶シリコン又はＣＧシリコン等によって形成されている。また、前記マイクロコンピュータやメモリの回路を動作させる図示しない電源は、引き違い戸１０２の外枠内に配置されており、図示しない透明電極等で各回路に接続されている。
【００５１】
次に、図４を用いて本実施の形態の施錠装置の施錠及び解錠の動作について更に説明する。
【００５２】
図４は、本実施の形態の施錠装置の概略構成を示すブロック図である。なお、図中、上記図１〜３にて説明したものと同様のものには同じ符号を付与する。
【００５３】
マイクロコンピュータ２０１は、前述の通り、入力部３０１から入力された暗証サインを受けて、その暗証サインをメモリ２０２に記憶させる。
【００５４】
そして、マイクロコンピュータ２０１は、戸の開閉センサー１０８の検知結果を入力し、「閉じた状態」であれば、施錠部１０５の図示しない電磁コイル等により引き違い戸１０２（図１）を係止させる係止部分を動作するように制御して、引き違い戸１０２を施錠させる。
【００５５】
その後、マイクロコンピュータ２０１は、入力部３０１から入力された際に、入力された文字や図形等とメモリ２０２に記憶された暗証サインとを、文字や図形等の形状を比較するパターンマッチング等の照合方法で照合して、同じ暗証サインと判断した場合には、施錠部１０５の前記係止部分を係止しない状態へと動作するように制御して、引き違い戸１０２を解錠させる。なお、マイクロコンピュータ２０１は、パターンマッチング等で照合した結果、暗証サインと異なると判断した場合には、施錠部１０５を解錠するような制御は行わない。
【００５６】
以上のように本実施の形態では、ガラス１０３の表面に設けられた入力部３０１が透光性を有する透明なシート状の入力インターフェイスなので、入力部３０１に視界を遮られることなく、ガラス１０３越しの物品１０４を容易に確認することができる。
【００５７】
また、文字や図形等を入力部３０１のタッチパネルに指やペン等で入力することにより、入力された文字や図形等と予め定めた文字や図形等とをパターンマッチング等によって照合して、その照合結果に基づいて施錠の管理ができるので、別途施錠，解錠のための鍵を持ち歩くことなく、引き違い戸１０２の施錠，解錠を容易に行うことができる。
【００５８】
また、マイクロコンピュータ２０１やメモリ２０２の回路を、ガラス１０３の表面に多結晶シリコン又はＣＧシリコン等によって形成することにより、別途回路基板等を用いて各回路を設ける必要がない。
【００５９】
なお、上記実施の形態１で用いられる入力部１０６のテンキーとして、上記実施の形態２で用いられる入力部３０１のタッチパネルを用いても良い。
【００６０】
また、上記実施の形態１，２で用いられる入力部をガラス１０３の表面から着脱可能な構造としても良い。例えば、ガラス１０３の表面には、入力部を固定するための透光性を有する凸部を設け、入力部には、その凸部と嵌合する凹部を設けておき、入力部をガラス１０３の表面に固着する際には、前記凹部及び凸部を嵌合させる。また、入力部をガラス１０３の表面から取り外す際には、入力部を引っ張ることにより嵌合していた凹部及び凸部を抜脱させて入力部を取り外す。このように入力部を取り外して、その入力部を施錠，解錠の指示を入力する有線又は無線のリモコンとして用いることで、入力部に視界を全く遮られることなくガラス越しの物品１０４を良好に確認することができる。
【００６１】
【発明の効果】
以上のように、本発明によれば、ガラス等の透光性部材を備えた戸の表面に設けられている入力部は透光性を有し透過しているので、入力部に視界を遮られることなく、ガラス越しの物品を容易に確認することができる。
【図面の簡単な説明】
【図１】本発明の実施の形態１の施錠装置の要部構成を示す正面図である。
【図２】実施の形態１の施錠装置の概略構成を示すブロック図である。
【図３】実施の形態２の施錠装置の要部構成を示す正面図である。
【図４】実施の形態２の施錠装置の概略構成を示すブロック図である。
【符号の説明】
１０１  ショーケース（収納ケース）
１０２  引き違い戸（透光性部材を備えた戸）
１０３  ガラス（透光性部材）
１０４  物品
１０５  施錠部
１０６，３０１  入力部
２０１  マイクロコンピュータ（制御部）
【図１】
2004308117.tif 000003
【図２】
2004308117.tif 000004
【図３】
2004308117.tif 000005
【図４】
2004308117.tif 000006